(57)【要約】      （修正有）【課題】画像共有者の負担が少なくより使用しやすい画像共有表示システムを提供する。【解決手段】画像共有表示システム１００は、シリアル画像信号Ｓ＊Ｌ及びＳ＊Ｒ（＊＝１〜４）を複数のチャンネルに配信する画像配信装置１１０と、各チャンネルのシリアル画像信号Ｓ＊Ｌ及びＳ＊Ｒを各々パラレル画像信号Ｐ＊Ｌ及びＰ＊Ｒに変換して出力する複数のコントローラ１２０と、複数のコントローラ１２０と各々パラレル信号ケーブル１７０で接続されており、複数のコントローラ１２０から各々受け取ったパラレル画像信号Ｐ＊Ｌ及びＰ＊Ｒに応じた左眼用画像と右眼用画像を各々表示する左右一対の表示素子及び光学系を各々備える複数のヘッドセット１３０と、を有する。【選択図】図１
2016086341.tif 000002
【特許請求の範囲】
【請求項１】
シリアル画像信号を複数のチャンネルに配信する画像配信装置と；
各チャンネルのシリアル画像信号をパラレル画像信号に変換して出力する複数のコントローラと；
前記複数のコントローラと各々パラレル信号ケーブルで接続されており、前記複数のコントローラから各々受け取ったパラレル画像信号に応じた左眼用画像と右眼用画像を各々表示する左右一対の表示素子及び光学系を各々備える複数のヘッドセットと；
を有することを特徴とする画像共有表示システム。
【請求項２】
前記画像配信装置は、前記シリアル画像信号として左右一対の３Ｄシリアル画像信号を前記コントローラに配信し、前記コントローラは、前記パラレル画像信号として左右一対の３Ｄパラレル画像信号を前記ヘッドセットに伝達し、前記ヘッドセットは、前記左右一対のパラレル画像信号に応じた左眼用３Ｄ画像と右眼用３Ｄ画像を表示することを特徴とする請求項１に記載の画像共有表示システム。
【請求項３】
前記画像配信装置と前記複数のコントローラは、互いに有線接続されていることを特徴とする請求項１または請求項２に記載の画像共有表示システム。
【請求項４】
前記画像配信装置と前記複数のコントローラは、互いに無線接続されていることを特徴とする請求項１または請求項２に記載の画像共有表示システム。
【請求項５】
画像配信装置から配信されるシリアル画像信号をパラレル画像信号に変換して出力するコントローラと；
前記コントローラとパラレル信号ケーブルで接続されており、前記コントローラから受け取ったパラレル画像信号に応じた左眼用画像と右眼用画像を各々表示する左右一対の表示素子及び光学系を備えるヘッドセットと；
を有することを特徴とする画像共有表示システム。
【請求項６】
前記パラレル信号ケーブルは、前記ヘッドセットを装着した頭の動きを阻害しない柔軟性を有することを特徴とする請求項１〜請求項５のいずれか一項に記載の画像共有表示システム。
【請求項７】
前記パラレル信号ケーブルは、外部へのノイズ発生防止手段及び外部からのノイズ遮断手段を有することを特徴とする請求項１〜請求項６のいずれか一項に記載の画像共有表示システム。
【請求項８】
前記パラレル信号ケーブルは、接地された外部導体を持つ同軸ケーブルを複数束ねたものであり、ヘッドセット側コネクタの接地ピンは、前記外部導体に接続されていることを特徴とする請求項１〜請求項７のいずれか一項に記載の画像共有表示システム。
【請求項９】
前記パラレル信号ケーブルは、同径のケーブルを複数束ねたものであり、前記コントローラは、前記ケーブルを１本ずつ信号ラインに割り当てる一方、前記ケーブルを複数本まとめて電源ラインに割り当てることを特徴とする請求項１〜請求項８のいずれか一項に記載の画像共有表示システム。
【請求項１０】
前記ヘッドセットは、眼鏡と、前記眼鏡に取り付けられるマイクロディスプレイとを含むことを特徴とする請求項１〜請求項９のいずれか一項に記載の画像共有表示システム。
【請求項１１】
前記コントローラは、前記表示素子を駆動するための電源部と制御部を含むことを特徴とする請求項１〜請求項１０のいずれか一項に記載の画像共有表示システム。
【請求項１２】
前記ヘッドセットは、前記コントローラと着脱可能であるとともに、固有のＩＤを保持していることを特徴とする請求項１〜請求項１１のいずれか一項に記載の画像共有表示システム。
【請求項１３】
前記ヘッドセットは、使用者を特定して使用されるものであり、前記コントローラは、前記ヘッドセットのＩＤとカスタマイズ情報を記憶する記憶部を含むことを特徴とする請求項１２に記載の画像共有表示システム。
【請求項１４】
前記複数のヘッドセットは、いずれも前記コントローラと着脱可能であって各々固有のＩＤを保持しておりいずれも使用者を特定して使用されるものであり、前記画像配信装置は、外部との通信を行う通信部を含み、前記コントローラから前記ヘッドセットのＩＤとカスタマイズ情報を取得して外部に送信することを特徴とする請求項１〜請求項４のいずれか一項に記載の画像共有表示システム。
【請求項１５】
前記画像配信装置は、前記コントローラに接続されているヘッドセットのＩＤを読み出し、当該ＩＤに対応したカスタマイズ情報を前記通信部により外部から受信して前記コントローラに伝達することを特徴とする請求項１４に記載の画像共有表示システム。
【請求項１６】
前記画像配信装置は、画像源からのソース画像信号を前記シリアル画像信号に変換して複数のチャンネルに配信する分配部を含むことを特徴とする請求項１〜請求項４、請求項１４および請求項１５のいずれか一項に記載の画像共有表示システム。
【請求項１７】
前記画像源は、患者の体内を撮影して前記ソース画像信号を生成する内視鏡であることを特徴とする請求項１６に記載の画像共有表示システム。
【請求項１８】
画像配信装置から配信されるシリアル画像信号をパラレル画像信号に変換するシリアル／パラレル変換部と、
パラレル信号ケーブルを介して前記パラレル画像信号をヘッドセットに伝達する伝達部と、
を有することを特徴とする画像共有表示システム用のコントローラ。
【請求項１９】
コントローラから伝達されるパラレル画像信号を受け取るためにパラレル信号ケーブルが接続されるコネクタと、
前記パラレル画像信号に応じた左眼用画像と右眼用画像を各々表示する左右一対の表示素子及び光学系と、
を有することを特徴とする画像共有表示システム用のヘッドセット。
【請求項２０】
前記コントローラから前記表示素子を駆動するための電力供給を受けることを特徴とする請求項１９に記載のヘッドセット。
【発明の詳細な説明】
【技術分野】
【０００１】
本発明は、画像共有表示システムに関する。
【背景技術】
【０００２】
例えば、ヘッドマウントディスプレイ（以下ではＨＭＤ［head mounted display］と呼ぶ）と内視鏡装置とプロセッサユニットとを有する内視鏡システムが提案されている。このような内視鏡システムは、内視鏡手術の際、ＨＭＤを装着した術者が、患者の体内に内視鏡装置を挿入し、内視鏡装置によって撮像された患部の様子をＨＭＤによって確認しながら、患部に対して切除等の処置をするために用いられる（例えば特許文献１を参照）。
【０００３】
上記の内視鏡システムにおけるプロセッサユニットは、例えば、内視鏡装置によって取得された画像の処理等を行う画像処理部や、内視鏡装置による撮像時に患部を照射する光源、或いは、ＨＭＤへ出力する画像に関する信号を変換処理するための変換部等を含む。
【０００４】
また、プロセッサユニットの画像処理部では、撮像された右目用及び左目用の画像を重ね合わせ、３Ｄ画像データとして処理することができる。当該３Ｄ画像データは、例えばケーブル等を介してモニタ装置に出力され、ＨＭＤを装着した術者以外の補助者等にも、術中の患部が確認できるように構成される。
【０００５】
内視鏡装置により撮像された右目用及び左目用の画像に関する信号は、画像処理部によって画像信号として処理された後、変換部でＨＭＤに適合する画像データとして各々処理され、ケーブルを介してＨＭＤに出力される。上記のＨＭＤは、右目用及び左目用の表示素子の他、ＨＭＤでの表示に適合した画像データを取得するＨＤＭＩ（登録商標）［high-difinition multimedia interface］やＭＰＵ［micro-processing unit］等で構成される制御部などを有している。
【０００６】
一方、ＨＭＤの分野では、外界像と重畳される虚像を視認し易くすることが可能な頭部装着型表示装置が提案されている（例えば特許文献２を参照）。
【先行技術文献】
【特許文献】
【０００７】
【特許文献１】特開２０１３−１９５９２４号公報
【特許文献２】特開２０１３−２１４８５６号公報
【発明の概要】
【発明が解決しようとする課題】
【０００８】
しかしながら、上記従来の画像共有表示システムでは、画像共有者（内視鏡システムではＨＭＤを装着する術者など）の負担が大きいといった課題があり、更なる改良が要請されていた。
【０００９】
本発明は、本願の発明者らにより見出された上記の課題に鑑み、画像共有者の負担が少なくより使用しやすい画像共有表示システムを提供することを目的とする。
【課題を解決するための手段】
【００１０】
本明細書中に開示されている画像共有表示システムは、シリアル画像信号を複数のチャンネルに配信する画像配信装置と；各チャンネルのシリアル画像信号を各々パラレル画像信号に変換して出力する複数のコントローラと；前記複数のコントローラと各々パラレル信号ケーブルで接続されており、前記複数のコントローラから各々受け取ったパラレル画像信号に応じた左眼用画像と右眼用画像を各々表示する左右一対の表示素子及び光学系を各々備える複数のヘッドセットと；を有する構成（第１の構成）とされている。
【００１１】
なお、第１の構成から成る画像共有表示システムで、前記画像配信装置は、前記シリアル画像信号として左右一対の３Ｄシリアル画像信号を前記コントローラに配信し、前記コントローラは、前記パラレル画像信号として左右一対の３Ｄパラレル画像信号を前記ヘッドセットに伝達し、前記ヘッドセットは、前記左右一対のパラレル画像信号に応じた左眼用３Ｄ画像と右眼用３Ｄ画像を表示する構成（第２の構成）にするとよい。
【００１２】
また、第１または第２の構成から成る画像共有表示システムにおいて、前記画像配信装置と前記複数のコントローラは、互いに有線接続されている構成（第３の構成）にするとよい。
【００１３】
また、第１または第２の構成から成る画像共有表示システムにおいて、前記画像配信装置と前記複数のコントローラは、互いに無線接続されている構成（第４の構成）にするとよい。
【００１４】
また、本明細書中に開示されている画像共有表示システムは、画像配信装置から複数のチャンネルに配信されるシリアル画像信号を各々パラレル画像信号に変換して出力する複数のコントローラと；前記複数のコントローラと各々パラレル信号ケーブルで接続されており、前記複数のコントローラから各々受け取ったパラレル画像信号に応じた左眼用画像と右眼用画像を各々表示する左右一対の表示素子及び光学系を各々備える複数のヘッドセットと；を有する構成（第５の構成）とされている。
【００１５】
また、第１〜第５いずれかの構成から成る画像共有表示システムにおいて、前記パラレル信号ケーブルは、前記ヘッドセットを装着した頭の動きを阻害しない柔軟性を有する構成（第６の構成）にするとよい。
【００１６】
また、第１〜第６いずれかの構成から成る画像共有表示システムにおいて、前記パラレル信号ケーブルは、外部へのノイズ発生防止手段及び外部からのノイズ遮断手段を有する構成（第７の構成）にするとよい。
【００１７】
また、第１〜第７いずれかの構成から成る画像共有表示システムにおいて、前記パラレル信号ケーブルは、接地された外部導体を持つ同軸ケーブルを複数束ねたものであり、ヘッドセット側コネクタの接地ピンは、前記外部導体に接続されている構成（第８の構成）にするとよい。
【００１８】
また、第１〜第８いずれかの構成から成る画像共有表示システムにおいて、前記パラレル信号ケーブルは、同径のケーブルを複数束ねたものであり、前記コントローラは、前記ケーブルを１本ずつ信号ラインに割り当てる一方、前記ケーブルを複数本まとめて電源ラインに割り当てる構成（第９の構成）にするとよい。
【００１９】
また、第１〜第９いずれかの構成から成る画像共有表示システムにおいて、前記ヘッドセットは、眼鏡と、前記眼鏡に取り付けられるマイクロディスプレイとを含む構成（第１０の構成）にするとよい。
【００２０】
また、第１〜第１０いずれかの構成から成る画像共有表示システムにおいて、前記コントローラは、前記表示素子を駆動するための電源部と制御部を含む構成（第１１の構成）にするとよい。
【００２１】
また、第１〜第１１いずれかの構成から成る画像共有表示システムにおいて、前記ヘッドセットは、前記コントローラと着脱可能であるとともに、固有のＩＤを保持している構成（第１２の構成）にするとよい。
【００２２】
また、第１２の構成から成る画像共有表示システムで、前記ヘッドセットは、使用者を特定して使用されるものであり、前記コントローラは、前記ヘッドセットのＩＤとカスタマイズ情報を記憶する記憶部を含む構成（第１３の構成）にするとよい。
【００２３】
また、第１〜第４いずれかの構成から成る画像共有表示システムにおいて、前記複数のヘッドセットは、いずれも前記コントローラと着脱可能であって各々固有のＩＤを保持しておりいずれも使用者を特定して使用されるものであり、前記画像配信装置は、外部との通信を行う通信部を含み、前記コントローラから前記ヘッドセットのＩＤとカスタマイズ情報を取得して外部に送信する構成（第１４の構成）にするとよい。
【００２４】
また、第１４の構成から成る画像共有表示システムにおいて、前記画像配信装置は、前記コントローラに接続されているヘッドセットのＩＤを読み出し、当該ＩＤに対応したカスタマイズ情報を外部から受信して前記コントローラに伝達する構成（第１５の構成）にするとよい。
【００２５】
また、第１〜第４、第１４、及び第１５いずれかの構成から成る画像共有表示システムにおいて、前記画像配信装置は、画像源からのソース画像信号を前記シリアル画像信号に変換して複数のチャンネルに配信する分配部を含む構成（第１６の構成）にするとよい。
【００２６】
また、第１６の構成から成る画像共有表示システムで、前記画像源は、患者の体内を撮影して前記ソース画像信号を生成する内視鏡である構成（第１７の構成）にするとよい。
【００２７】
また、本明細書中に開示されている画像共有表示システム用のコントローラは、画像配信装置から配信されるシリアル画像信号をパラレル画像信号に変換するシリアル／パラレル変換部と、パラレル信号ケーブルを介して前記パラレル画像信号をヘッドセットに伝達する伝達部と、を有する構成（第１８の構成）とされている。
【００２８】
また、本明細書中に開示されている画像共有表示システム用のヘッドセットは、コントローラから伝達されるパラレル画像信号を受け取るためにパラレル信号ケーブルが接続されるコネクタと、前記パラレル画像信号に応じた左眼用画像と右眼用画像を各々表示する左右一対の表示素子及び光学系と、を有する構成（第１９の構成）とされている。
【００２９】
なお、第１９の構成から成るヘッドセットは、前記コントローラから前記表示素子を駆動するための電力供給を受ける構成（第２０の構成）にするとよい。
【発明の効果】
【００３０】
本明細書中に開示されている発明によれば、画像共有者の負担が少なくより使用しやすい画像共有表示システムを提供することが可能となる。
【図面の簡単な説明】
【００３１】
【図１】画像共有表示システム１００の一構成例を示すブロック図
【図２】画像共有表示システム１００の一適用例を示すアプリケーション図
【図３】画像配信装置１１０の一構成例を示すブロック図
【図４】コントローラ１２０の一構成例を示すブロック図
【図５】コントローラ１２０の携帯バリエーションを示す図
【図６】ヘッドセット１３０の一構成例を示す外観図
【図７】左眼用マイクロディスプレイ１３２Ｌ及び右眼用マイクロディスプレイ１３２Ｒの一構成例を示すブロック図
【図８】マイクロディスプレイモジュール１３２ａの一構成例を示すブロック図
【図９】有機ＥＬマイクロディスプレイＬＳＩａ２０の一構造例を示す模式図
【図１０】Ｌｃｈパラレル信号ケーブル１７１の一構造例を示す模式図
【図１１】ＦＰＣコネクタａ１０の一構造例を示す模式図
【図１２】ヘッドセット１３０のＩＤ管理について説明するためのブロック図
【発明を実施するための形態】
【００３２】
＜画像共有表示システム＞
図１は、画像共有表示システム１００の一構成例を示すブロック図である。本構成例の画像共有表示システム１００は、画像配信装置１１０と、複数チャンネル分（ここでは４チャンネル分）のコントローラ１２０及びヘッドセット１３０と、を有する。
【００３３】
画像配信装置１１０は、交流電源３００から交流電圧Ｖａｃ（例えばＡＣ１００Ｖ）の供給を受けて動作し、画像源２００から入力される左右一対の３Ｄソース画像信号Ｓ０Ｌ及びＳ０Ｒを複数チャンネル分の３Ｄシリアル画像信号Ｓ＊Ｌ及びＳ＊Ｒ（ただし、＊＝１、２、３、４）に変換して各チャンネルのコントローラ１２０に同時配信する。
【００３４】
コントローラ１２０は、複数（最大４人）の画像共有者が各々携帯して使用するものであり、左右一対の３Ｄシリアル画像信号Ｓ＊Ｌ及びＳ＊Ｒを各々左右一対の３Ｄパラレル画像信号Ｐ＊Ｌ及びＰ＊Ｒに変換してヘッドセット１３０に出力する。なお、コントローラ１２０は、ヘッドセット１３０に搭載されるマイクロディスプレイ（画像投影装置）を駆動するためのマイコンやレギュレータＩＣを含んでいる。
【００３５】
ヘッドセット１３０は、複数の画像共有者が各々頭部に装着して使用するウェアラブル端末であり、コントローラ１２０から受け取った左右一対の３Ｄパラレル画像信号Ｐ＊Ｌ及びＰ＊Ｒに応じた左眼用画像と右眼用画像を左右一対のマイクロディスプレイで表示する。これにより、ヘッドセット１３０を装着した複数の画像共有者は、共通の３Ｄ画像を同時に見ることができる。また、ヘッドセット１３０は、従来のＨＭＤと異なり、マイクロディスプレイを駆動するためのマイコンやレギュレータＩＣを含んでいない。従って、ヘッドセット１３０は、従来のＨＭＤと比べて小型かつ軽量なものとなっている。
【００３６】
画像配信装置１１０と画像源２００は、シリアル信号ケーブル１４０を介して互いに有線接続されている。シリアル信号ケーブル１４０は、左チャネル（以下、「Ｌｃｈ」）シリアル信号ケーブル１４１と右チャネル（以下「Ｒｃｈ」）シリアル信号ケーブル１４２を含み、左右一対の３Ｄソース画像信号Ｓ０Ｌ及びＳ０Ｒを各々独立に伝送する。シリアル信号ケーブル１４０としては、ＤＶＩ［digital visual interface］（登録商標）ケーブルやＳＤＩ［serial digital interface］ケーブルなどを用いることができる。
【００３７】
なお、ソース画像が３Ｄ画像ではなく２Ｄ画像である場合には、画像源２００から画像配信装置１１０に対して、両眼用の２Ｄソース画像信号を伝送することになる。その場合には、シリアル信号ケーブル１４０が１本で足りる。
【００３８】
画像配信装置１１０と交流電源３００は、電源ケーブル１５０を介して互いに有線接続されている。
【００３９】
画像配信装置１１０とコントローラ１２０は、シリアル信号ケーブル１６０を介して互いに有線接続されている。シリアル信号ケーブル１６０は、Ｌｃｈシリアル信号ケーブル１６１とＲｃｈシリアル信号ケーブル１６２を含み、左右一対の３Ｄシリアル画像信号Ｓ＊Ｌ及びＳ＊Ｒを各々独立に伝送する。シリアル信号ケーブル１６０としては、各種信号の伝送と電力の供給を１本のケーブルで実現するＨＤＭＩ（登録商標）［high-definition multimedia interface］ケーブルを好適に用いることができる。
【００４０】
ただし、シリアル信号ケーブル１６０については、その他のシリアル通信規格（ＵＳＢ［universal serial bus］、ＬＶＤＳ［low voltage differential signaling］、ＭＩＰＩ［mobile industry processor interface］（登録商標）、Ｅｔｈｅｒｎｅｔ（登録商標）、ＦｉｒｅＷｉｒｅ（登録商標）、ないしは、ｔｈｕｎｄｅｒｖｏｌｔ（登録商標）など）に準拠したケーブルを用いても構わない。
【００４１】
また、３Ｄソース画像信号Ｓ０Ｌ及びＳ０Ｒを３Ｄシリアル画像信号Ｓ＊Ｌ及びＳ＊Ｒとしてそのままスルー出力する場合には、シリアル信号ケーブル１６０として、ＤＶＩケーブルやＳＤＩケーブルを用いることも可能である。その場合、３Ｄソース画像信号Ｓ０Ｌ及びＳ０Ｒがダウンコンバータなどを介さないように、スルー出力専用の出力端子を設けることが望ましい。
【００４２】
なお、ソース画像が３Ｄ画像ではなく２Ｄ画像である場合には、画像配信装置１１０からコントローラ１２０に対して、両眼用の２Ｄシリアル画像信号を伝送することになる。その場合、Ｌｃｈシリアル信号ケーブル１６１とＲｃｈシリアル信号ケーブル１６２には同一の２Ｄシリアル画像信号を出力すればよい。或いは、画像配信装置１１０からコントローラ１２０に対して１系統の２Ｄシリアル画像信号を伝送し、コントローラ１２０側で２Ｄパラレル画像信号に変換してからＬｃｈ／Ｒｃｈに各々分配してもよい。後者の構成を採用した場合、シリアル信号ケーブル１６０は、各チャンネル毎に１本ずつで足りる。
【００４３】
また、コントローラ１２０の処理能力が高い場合には、１本のシリアル信号ケーブル１６０を介して左右一対のシリアル画像信号Ｓ＊Ｌ及びＳ＊Ｒをフレーム毎に順次伝送し、コントローラ１２０でＬｃｈ／Ｒｃｈに順次分配しながらパラレル変換を行ってもよい。この場合にも、シリアル信号ケーブル１６０は、各チャンネル毎に１本ずつで足りる。
【００４４】
また、画像配信装置１１０とコントローラ１２０は、Ｗｉ−Ｆｉ（登録商標）などを介して互いに無線接続してもよい。
【００４５】
コントローラ１２０とヘッドセット１３０は、パラレル信号ケーブル１７０を介して互いに有線接続されている。パラレル信号ケーブル１７０は、Ｌｃｈパラレル信号ケーブル１７１とＲｃｈパラレル信号ケーブル１７２を含み、左右一対の３Ｄパラレル画像信号Ｐ＊Ｌ及びＰ＊Ｒを各々独立に伝送する。
【００４６】
なお、コントローラ１２０とヘッドセット１３０を分離したことに伴い、パラレル信号ケーブル１７０には、ヘッドセット１３０を装着した頭の動きを阻害しない柔軟性や、周辺機器と相互に干渉しない電磁両立性（ＥＭＣ［electromagnetic compatibility］）が求められる。これらの要求を満たすための創意工夫については、後ほど詳述する。
【００４７】
また、ソース画像が３Ｄ画像ではなく２Ｄ画像である場合には、コントローラ１２０からヘッドセット１３０に対して、両眼用の２Ｄパラレル画像信号を伝送することになる。その場合でも、左眼用マイクロディスプレイと右眼用マイクロディスプレイの各々に画像信号を供給しなければならないので、パラレル信号ケーブル１７０は、各チャンネル毎に２本ずつ必要となる。
【００４８】
図２は、画像共有表示システム１００の一適用例（医療用途への適用例）を示すアプリケーション図であり、画像共有表示システム１００が適用された手術室の様子（内視鏡による低侵襲手術の様子）が描写されている。
【００４９】
本適用例において、画像源２００は、患者Ｂ１の体内（術野）を撮影して左右一対の３Ｄソース画像信号Ｓ０Ｌ及びＳ０Ｒを生成する内視鏡手術装置である。なお、本図では描写が割愛されているが、画像源２００は、医療従事者Ａ１〜Ａ４（医師や看護師など）が操作する内視鏡プローブ（撮像装置）と有線接続されている。
【００５０】
画像配信装置１１０は、画像源２００からシリアル信号ケーブル１４０を介して３Ｄソース画像信号Ｓ０Ｌ及びＳ０Ｒを受け取り、医療従事者Ａ１〜Ａ４が各々携帯する４台のコントローラ１２０に対して、シリアル信号ケーブル１６０経由で３Ｄシリアル画像信号Ｓ＊Ｌ及びＳ＊Ｒを同時配信する。
【００５１】
なお、画像配信装置１１０とコントローラ１２０を互いに有線接続している場合には、医療従事者Ａ１〜Ａ４が手術室内を移動する際、床を這っているシリアル信号ケーブル１６０に躓いたり、複数本のシリアル信号ケーブル１６０が絡まったりするなど、不慮の事故を生じる懸念がある。そのため、医療機器に対する無線電波の影響が許容されるのであれば、画像配信装置１１０とコントローラ１２０を互いに無線接続することが望ましい。
【００５２】
コントローラ１２０は、画像配信装置１１０から送られてきた３Ｄシリアル画像信号Ｓ＊Ｌ及びＳ＊Ｒを３Ｄパラレル画像信号Ｐ＊Ｌ及びＰ＊Ｒに各々変換し、パラレル信号ケーブル１７０（本図では描写を割愛）を介してヘッドセット１３０へ転送する。
【００５３】
このような医療用の画像共有表示システム１００を構築することにより、医療従事者Ａ１〜Ａ４は、共用モニタに術野の映像を映し出していた従前の画像共有表示システムと異なり、共用モニタに目を向けることなく各自の手元や作業に集中しながら術野の映像を互いに共有することができる。
【００５４】
また、先にも述べたように、画像共有表示システム１００では、コントローラ１２０とヘッドセット１３０を分離することにより、ヘッドセット１３０の小型化ないし軽量化が図られている。従って、手術中における医療従事者Ａ１〜Ａ４の首や肩に掛かる負担を大幅に軽減することが可能となる。
【００５５】
また、ヘッドセット１３０は、医療従事者Ａ１〜Ａ４の周辺視界を完全に（またはほぼ完全に）遮ってしまうゴーグル型ではなく、周辺視界が十分に確保された眼鏡型（詳細については後述）とされている。従って、医療従事者Ａ１〜Ａ４の相互間における器具の受け渡し等についても、ヘッドセット１３０を外すことなくスムーズに行うことができる。
【００５６】
＜画像配信装置＞
図３は、画像配信装置１１０の一構成例を示すブロック図である。本構成例の画像配信装置１１０は、分配部１１１と、電源部１１２と、を含む。
【００５７】
分配部１１１は、画像源２００から入力される３Ｄソース画像信号Ｓ０Ｌ及びＳ０Ｒを３Ｄシリアル画像信号Ｓ＊Ｌ及びＳ＊Ｒに変換して複数のチャンネルに配信する画像信号分配用バッファ（例えばＨＤＭＩ（登録商標）ディストリビュータ）である。また、分配部１１１は、３Ｄシリアル画像信号Ｓ＊Ｌ及びＳ＊Ｒの解像度をヘッドセット１３０の解像度に合わせるための解像度変換機能を備えている。例えば、３Ｄソース画像信号Ｓ０Ｌ及びＳ０Ｒの解像度がヘッドセット１３０の解像度よりも高い場合、分配部１１１は、３Ｄソース画像信号Ｓ０Ｌ及びＳ０Ｒをダウンコンバートして３Ｄシリアル画像信号Ｓ＊Ｌ及びＳ＊Ｒを生成する。なお、ヘッドセット１３０の解像度に関する情報は、予めプリセット情報として分配部１１１に格納しておいてもよいし、或いは、ヘッドセット１３０が接続されるコントローラ１２０からシリアル信号ケーブル１６０を介して受信してもよい。
【００５８】
電源部１１２は、交流電源３００から供給される交流電圧Ｖａｃを直流電圧Ｖｄｃ（例えばＤＣ５Ｖ）に変換して分配部１１１に出力するＡＣ／ＤＣコンバータである。なお、直流電圧Ｖｄｃは、画像配信装置１１０の各部に供給される一方、シリアル信号ケーブル１６０を介して各チャンネルのコントローラ１２０にも供給される。
【００５９】
画像配信装置１１０の筐体サイズは、家庭用のビデオデッキ程度である。画像配信装置１１０の筐体内部には、分配部１１１を搭載した回路基板や電源部１１２が収納されている。また、画像配信装置１１０の筐体外部には、ヒューマンＩ／Ｆとして、電源ボタンやパワーインジケータ用ＬＥＤ［light emitting diode］などが配置されている。
【００６０】
また、画像配信装置１１０は、その物理Ｉ／Ｆとして、画像源２００を接続するためのシリアル入力端子（Ｌ／Ｒ）や、最大４チャンネルのコントローラ１２０を接続するためのシリアル出力端子（Ｌ／Ｒ×４チャンネル分）を備えている。
【００６１】
なお、上記の入力端子（Ｌ／Ｒ）として、ＤＶＩ規格とＳＤＩ規格の双方備える場合には、一方の規格の入力端子を選択するための入力選択スイッチを設けておけばよい。
【００６２】
また、３Ｄソース画像信号Ｓ０Ｌ及びＳ０Ｒをそのままスルーして外部出力する必要がある場合（例えば、コントローラ１２０への出力だけでなく、従前通りに共用モニタへの出力も行う場合）には、ＤＶＩ規格またはＳＤＩ規格（若しくは両方の規格）の出力端子（Ｌ／Ｒ）を設けておけばよい。
【００６３】
＜コントローラ＞
図４は、コントローラ１２０の一構成例を示すブロック図である。本構成例のコントローラ１２０は、Ｌｃｈシリアル／パラレル変換部１２１と、Ｒｃｈシリアル／パラレル変換部１２２と、マイコン１２３と、レギュレータ１２４と、Ｌｃｈ伝達部１２５と、Ｒｃｈ伝達部１２６と、を含む。
【００６４】
Ｌｃｈシリアル／パラレル変換部１２１とＲｃｈシリアル／パラレル変換部１２２は、それぞれ、３Ｄシリアル画像信号Ｓ＊Ｌ及びＳ＊Ｒのシリアル入力を受けて、各８ビットのＲＧＢ信号、クロック信号ＣＫ、水平同期信号ＨＳＹＮＣ、垂直同期信号ＶＳＹＮＣ、及び、データイネーブル信号ＤＥをパラレル出力するＨＤＭＩ（登録商標）レシーバである。
【００６５】
なお、本図の例において、３Ｄシリアル画像信号Ｓ＊Ｌ及びＳ＊Ｒは、それぞれ、汎用ＨＤＭＩ（登録商標）フォーマットに準拠した１９ピンのシリアル信号であり、ＴＭＤＳ［transition minimized differential signaling］データ信号（２＋／２シールド／２−、１＋／１シールド／１−、及び、０＋／０シールド／０−）、ＴＭＤＳクロック信号（＋／シールド／−）、ＣＥＣ［consumer electronics control］信号、ユーティリティ信号、ＤＤＣ［display data channel］信号（ＳＣＬ／ＳＤＡ）、ＤＤＣ／ＣＥＣグランド、＋５Ｖ電源、及び、ホットプラグ検出信号を含む。
【００６６】
マイコン１２３は、ヘッドセット１３０に搭載されたマイクロディスプレイの輝度制御やリセット制御などを行うために、種々の制御信号（クロック信号ＳＣＬ、データ信号ＳＤＡ、及び、リセット信号ＲＳＴ）を出力する制御部である。
【００６７】
レギュレータ１２４は、Ｌｃｈシリアル信号ケーブル１６１とＲｃｈシリアル信号ケーブル１６２から各々＋５Ｖ電源の供給を受けて動作し、ヘッドセット１３０に搭載されたマイクロディスプレイを駆動するために必要な駆動電圧Ｖ１及びＶ２（例えば＋３．０Ｖ及び−３．１Ｖ）を生成する電源部である。
【００６８】
Ｌｃｈ伝達部１２５は、Ｌｃｈシリアル／パラレル変換部１２１の出力信号（ＲＧＢ、ＣＫ、ＨＳＹＮＣ、ＶＳＹＮＣ、ＤＥ）、マイコン１２３の出力信号（ＳＣＬ、ＳＤＡ、ＲＳＴ）、及び、レギュレータ１２４の出力電圧（Ｖ１、Ｖ２）をパラレル画像信号Ｐ＊Ｌとしてヘッドセット１３０に伝達する。
【００６９】
Ｒｃｈ伝達部１２６は、Ｒｃｈシリアル／パラレル変換部１２２の出力信号（ＲＧＢ、ＣＫ、ＨＳＹＮＣ、ＶＳＹＮＣ、ＤＥ）、マイコン１２３の出力信号（ＳＣＬ、ＳＤＡ、ＲＳＴ）、及び、レギュレータ１２４の出力電圧（Ｖ１、Ｖ２）をパラレル画像信号Ｐ＊Ｒとしてヘッドセット１３０に伝達する。
【００７０】
なお、Ｌｃｈパラレル信号ケーブル１７１及びＲｃｈパラレル信号ケーブル１７２は、それぞれ、同径（できる限り細径）の同軸ケーブルを複数束ねたものである（詳細構造については後述）。ここで、コントローラ１２０は、同軸ケーブルを１本ずつ信号ラインに割り当てる一方、同軸ケーブルを複数本まとめて電源ラインに割り当てている。
【００７１】
より具体的に述べると、駆動電圧Ｖ１及びＶ２は、それぞれ２本の同軸ケーブルを介してコントローラ１２０からヘッドセット１３０へ供給される。このような構成とすることにより、Ｌｃｈパラレル信号ケーブル１７１及びＲｃｈパラレル信号ケーブル１７２を各々形成する複数本の同軸ケーブルを全て同径としながら、電源ラインについてはその径を実質的に太くすることができる。従って、電源ラインに付随する寄生素子（寄生インピーダンスや寄生インダクタンスなど）を低減することが可能となる。
【００７２】
コントローラ１２０の筐体サイズは、スマートフォン以下であり、胸ポケットに入る程度である。コントローラ１２０の筐体内部には、上記の回路部１２１〜１２６を搭載した回路基板が収納されている。また、コントローラ１２０の筐体外部には、ヒューマンＩ／Ｆとして、各種スイッチ（電源ボタン、輝度調整ボタン、及び、ディスプレイ制御ボタン（上下左右反転ボタン））と、各種の情報表示部（パワーインジケータ用ＬＥＤ、輝度レベル表示用ＬＥＤ、及び、ディスプレイ状態確認用ＬＥＤ）などが配置されている。
【００７３】
また、コントローラ１２０は、その物理Ｉ／Ｆとして、画像配信装置１１０を接続するためのシリアル入力端子（Ｌ／Ｒ）や、ヘッドセット１３０を接続するためのパラレル出力端子（Ｌ／Ｒ）を備えている。
【００７４】
図５は、コントローラ１２０の携帯バリエーションを示す図である。
【００７５】
（ａ）欄では、コントローラ１２０を着衣のポケットに入れた様子が描写されている。この場合、パラレル信号ケーブル１７０は、首の動きを妨げないように、首の後ろ側からヘッドセット１３０へ引き回すことが望ましい。
【００７６】
（ｂ）欄では、コントローラ１２０を首に懸架した様子が描写されている。この場合、パラレル信号ケーブル１７０をネックストラップの一部として流用することができる。なお、画像共有者（例えば医療従事者）の前屈姿勢時にコントローラ１２０が首から垂れ下がってしまわないように、ネックストラップ部分は十分に短くしておくことが望ましい。
【００７７】
（ｃ）欄では、コントローラ１２０を着衣の背中側に貼付した様子が描写されている。このような携帯手法であれば、首の動きを妨げることがない上、パラレル信号ケーブル１７０の短縮にも寄与し得る。ただし、コントローラ１２０の操作には不向きである。
【００７８】
（ｄ）欄では、コントローラ１２０を後頭部に装着した様子が描写されている。このような携帯手法であれば、（ｃ）欄と同様、首の動きを妨げることがない上、パラレル信号ケーブル１７０のさらなる短縮にも寄与し得る。なお、従来のＨＭＤは、前頭部（額部）に重量が集中していたので、ＨＭＤ装着時の負担が大きかった。これに対して、コントローラ１２０とヘッドセット１３０を頭部の前後に分離して装着すれば、重量バランスが良くなるので、上記の負担を軽減することができる。ただし、（ｃ）欄と同様、コントローラ１２０の操作には不向きである。
【００７９】
＜ヘッドセット＞
図６は、ヘッドセット１３０の一構成例（眼鏡型）を示す外観図である。本構成例のヘッドセット１３０は、眼鏡１３１と左右一対の左眼用マイクロディスプレイ１３２Ｌ及び右眼用１３２Ｒを含む。また、ヘッドセット１３０には、オプションでカメラなどを搭載してもよい。
【００８０】
眼鏡１３１は、フレーム１３１ａと、左右一対のレンズ１３１ｂ及びツル１３１ｃと、を含む。左右一対のレンズ１３１ｂには、それぞれ、左右一対の左眼用マイクロディスプレイ１３２Ｌ及び右眼用マイクロディスプレイ１３２Ｒが装着されている。パラレル信号ケーブル１７１及び１７２は、それぞれ、左眼用マイクロディスプレイ１３２Ｌ及び右眼用マイクロディスプレイ１３２Ｒからフレーム１３１ａの上辺部を経てツル１３１ｃに至り、最終的に後頭部側へと回り込むように敷設されている。なお、眼鏡１３１は、画像共有者の視力矯正手段や眼球防護手段としても機能する。
【００８１】
このように、周辺視界が十分に確保された眼鏡型のヘッドセット１３０を用いれば、左眼用マイクロディスプレイ１３２Ｌ及び右眼用マイクロディスプレイ１３２Ｒから少し目線をずらすだけで、周囲の状況を目視することができる。
【００８２】
なお、左眼用マイクロディスプレイ１３２Ｌ及び右眼用マイクロディスプレイ１３２Ｒの視認性を優先する場合には、眼鏡１３１を画像共有者毎の専用品とし、各自に最適なフィッティング（レンズ種類、度数、左右瞳孔間距離、前傾角、鼻パッド位置、ツル幅などの調整）を行った上で、レンズ１３１ｂ上の最適位置に左眼用マイクロディスプレイ１３２Ｌ及び右眼用マイクロディスプレイ１３２Ｒを固定すればよい。
【００８３】
一方、画像共有者が日常的に使用している眼鏡１３１をヘッドセット１３０の一部として流用する場合には、左眼用マイクロディスプレイ１３２Ｌ及び右眼用マイクロディスプレイ１３２Ｒを眼鏡１３１に着脱するためのディスプレイ支持機構を設けるとよい。ディスプレイ支持機構には、レンズ１３１ｂ上における左眼用マイクロディスプレイ１３２Ｌ及び右眼用マイクロディスプレイ１３２Ｒの位置調整機能を持たせることが望ましい。
【００８４】
＜マイクロディスプレイ＞
図７は、左眼用マイクロディスプレイ１３２Ｌ及び右眼用マイクロディスプレイ１３２Ｒの一構成例を示すブロック図である。本構成例の左眼用マイクロディスプレイ１３２Ｌ及び右眼用マイクロディスプレイ１３２Ｒは、各々の鏡筒内に、マイクロディスプレイモジュール１３２ａと光学系１３２ｂを備えている。
【００８５】
マイクロディスプレイモジュール１３２ａは、コントローラ１２０から入力される３Ｄパラレル画像信号Ｐ＊Ｌ及びＰ＊Ｒに応じた画像光を出射する。なお、マイクロディスプレイモジュール１３２ａを駆動するための電力（Ｖ１／Ｖ２／ＧＮＤ）は、パラレル信号ケーブル１７０を介してコントローラ１２０から供給される。
【００８６】
光学系１３２ｂは、マイクロディスプレイモジュール１３２ａから出射される画像光を投影して、画像共有者に視認される虚像を結像するためのプラスチックレンズ群である。なお、光学系１３２ｂは、左眼用マイクロディスプレイ１３２Ｌ及び右眼用マイクロディスプレイ１３２Ｒの鏡筒に設けられたフォーカス調整リングの操作に応じて、虚像の焦点距離を調整する機能を備えている。
【００８７】
＜マイクロディスプレイモジュール＞
図８は、左眼用マイクロディスプレイ１３２Ｌ及び右眼用マイクロディスプレイ１３２Ｒに各々用いられているマイクロディスプレイモジュール１３２ａの一構成例を示すブロック図である。マイクロディスプレイモジュール１３２ａは、ＦＰＣ［flexible printed circuits］コネクタａ１０と、有機ＥＬ［electro-luminescence］マイクロディスプレイＬＳＩａ２０と、不揮発性メモリａ３０と、を含む超小型モジュール（Ｗ：１４ｍｍ、Ｈ：１２．６ｍｍ、Ｄ：３．９２５ｍｍ）である。
【００８８】
ＦＰＣコネクタａ１０は、コントローラ１２０から伝達されるパラレル画像信号Ｐ＊ＬまたはＰ＊Ｒ（ＤＡＴ（ＲＧＢ）、ＣＫ／ＨＳＹＮＣ／ＶＳＹＮＣ／ＤＥ、ＳＣＬ／ＳＤＡ／ＲＳＴ、Ｖ１／Ｖ２／ＧＮＤ）を受け取るために、パラレル信号ケーブル１７０が接続される物理Ｉ／Ｆである。ＦＰＣコネクタａ１０の構造については後述する。
【００８９】
有機ＥＬマイクロディスプレイＬＳＩａ２０は、パラレル画像信号Ｐ＊ＬまたはＰ＊Ｒに応じた画像光を出力する表示素子である。なお、例えば、有機ＥＬマイクロディスプレイＬＳＩａ１の解像度は、１０２４×ＲＧＢ×７６８ピクセル（カラーＸＧＡ［extended graphics array］）であり、画面サイズは０．３６型（１ピクセル当たり：５１．８４μｍ2（＝２．４μｍ×７．２μｍ×ＲＧＢ））である。
【００９０】
また、有機ＥＬマイクロディスプレイＬＳＩａ２０には、ガンマ補正機能、輝度補正機能、ホワイドバランス調整機能、温度補正機能、パワーダウンモード機能、画面焼き付き防止機能、上下左右反転機能、及び、使用時間カウント機能などが組み込まれている。
【００９１】
例えば、先の図２で示したように、画像共有表示システム１００が医療用途に適用されているケースにおいて、医療従事者Ａ１が内視鏡プローブ（撮像装置）を操作している場合を考える。この場合、患者Ｂ１に対して同じ側（図面の奥側）に立っている医療従事者Ａ１及びＡ２は、いずれも上下左右が反転されていない３Ｄ画像が見られるように、コントローラ１２０を介して有機ＥＬマイクロディスプレイＬＳＩａ２０の上下左右反転機能を制御すればよい。
【００９２】
一方、患者Ｂ１に対して医療従事者Ａ１及びＡ２とは逆の側（図面の手前側）に立っている医療従事者Ａ３及びＡ４は、いずれも上下左右が反転された３Ｄ画像が見られるように、コントローラ１２０を介して有機ＥＬマイクロディスプレイＬＳＩａ２０の上下左右反転機能を制御すればよい。
【００９３】
このような制御を行うことにより、医療従事者Ａ１〜Ａ４は、それぞれの立ち位置から患者Ｂ１の体内を透視しているかの如く、術野の３Ｄ画像を共有することができる。
【００９４】
不揮発性メモリａ３０は、有機ＥＬマイクロディスプレイＬＳＩａ２０の調整パラメータを不揮発的に記憶する。調整パラメータは、マイクロディスプレイモジュール１３２ａの特性を所望値に合わせ込むためのトリミング値などを含み、マイクロディスプレイモジュール１３２ａの出荷時検査に適切な値が書き込まれる。なお、不揮発性メモリａ３０としては、ＥＥＰＲＯＭ［electrically erasable programmable read-only memory］、ＯＴＰＲＯＭ［one time programmable ROM］、或いは、フラッシュメモリなどを好適に用いることができる。
【００９５】
＜有機ＥＬマイクロディスプレイＬＳＩ＞
図９は、有機ＥＬマイクロディスプレイＬＳＩａ２０の一構造例を示す模式図であり、（ａ）欄には模式的な縦断面斜視図が描写されており、（ｂ）欄には実機の縦断面図が描写されている。
【００９６】
有機ＥＬマイクロディスプレイＬＳＩａ２０は、ＳｉベースのＬＳＩ領域Ｘ上に有機ＥＬ領域Ｙを一体的に形成した縦構造を有する。また、有機ＥＬ領域Ｙ上には、フィルタ／保護領域Ｚが形成されている。
【００９７】
ＬＳＩ領域Ｘは、ＭＯＳ［metal oxide semiconductor］トランジスタ層Ｘ１と、その上部に形成された配線層Ｘ２を含む。
【００９８】
有機ＥＬ領域Ｙは、下層から順に、陽極ａ２１と、正孔輸送層ａ２２と、発光層ａ２３と、電子輸送層ａ２４と、陰極ａ２５と、を含む。なお、陽極ａ２１は、配線層Ｘ２の最上層に形成されている。有機ＥＬ領域Ｙは、図示の太矢印に向けて白色光を発する。
【００９９】
フィルタ／保護領域Ｚは、下層から順に、シール層ａ２６と、カラーフィルタ層ａ２７と、透明保護層ａ２８と、を含む。有機ＥＬ領域Ｙから出射された白色光は、カラーフィルタ層ａ２７を介して、赤色光、緑色光、及び、青色光に変化する。
【０１００】
上記の構造から成る有機ＥＬマイクロディスプレイＬＳＩａ２０には、視野角、消費電力、応答速度、動作温度範囲、耐振動性、及び、軽薄性などの面において、ＬＣＤよりも有利である。
【０１０１】
＜パラレル信号ケーブル＞
図１０は、Ｌｃｈパラレル信号ケーブル１７１（Ｒｃｈパラレル信号ケーブル１７２として理解しても可）の一構造例を示す模式図である。Ｌｃｈパラレル信号ケーブル１７１は、極細の同軸ケーブルＬ１０を複数本（例えば３５本）束ねたものである。
【０１０２】
同軸ケーブルＬ１０は、内部導体Ｌ１１と、誘電体Ｌ１２と、外部導体Ｌ１３と、保護被覆Ｌ１４とを含む。内部導体Ｌ１１は、信号ラインや電源ラインとなる電気伝導体（銅線など）である。誘電体Ｌ１２は、内部導体Ｌ１１と外部導体Ｌ１２との間を絶縁するための絶縁体（ポリエチレンチューブなど）である。外部導体Ｌ１３は、誘電体Ｌ１２を被覆するように形成された電気伝導体（金属箔または編み銅線など）である。外部導体Ｌ１３は、コントローラ１２０側で電気的に接地されており、外部へのノイズ発生防止手段及び外部からのノイズ遮断手段として機能する。保護被覆Ｌ１４は、外部導体Ｌ１３を被覆するように形成された絶縁体（ビニルチューブなど）である。
【０１０３】
このように、極細の同軸ケーブルＬ１０を複数本束ねてＬｃｈパラレル信号ケーブル１７１（及びＲｃｈパラレル信号ケーブル１７２）を形成することにより、ヘッドセット１３０を装着した頭の動きを阻害しない柔軟性や、周辺機器と相互に干渉しない電磁両立性を実現することが可能となる。
【０１０４】
＜ＦＰＣコネクタ＞
図１１は、ＦＰＣコネクタａ１０（先の図８を参照）の一構造例を示す模式図である。ＦＰＣコネクタａ１０には、合計３９本のピン（通常ピンａ１１×３８本、接地ピンａ１２×１本）が設けられている。
【０１０５】
３８本の通常ピンａ１１（信号ピンまたは電源ピン）には、それぞれ、Ｌｃｈパラレル信号ケーブル１７１（またはＲｃｈパラレル信号ケーブル１７２）の内部導体Ｌ１１が接続される。なお、先にも述べた通り、同軸ケーブルＬ１０はいずれも同径であるので、通常ピンａ１１及び接地ピンａ１２のピッチ間隔を統一することが可能となり、延いては、ＦＰＣコネクタａ１０の形成が容易となる。
【０１０６】
また、接地ピンａ１２は、その一端が大面積のボンディング領域としてパターニングされており、複数束ねられた同軸ケーブルＬ１０のうち、少なくとも１本（本図では全て）の外部導体Ｌ１３に接続されている。このような構成とすることにより、電磁シールドとして機能する外部導体Ｌ１３を接地ラインとしても流用することができる。従って、同軸ケーブルの本数を削減することが可能となり、延いては、Ｌｃｈパラレル信号ケーブル１７１（及びＲｃｈパラレル信号ケーブル１７２）の柔軟性を高めることが可能となる。
【０１０７】
なお、本図の例では、３８本の通常ピンａ１１に３５本の内部導体Ｌ１１が接続されており、３本の通常ピンａ１１は、リザーブとしていずれにも接続されていない。ただし、Ｌｃｈパラレル信号ケーブル１７１（またはＲｃｈパラレル信号ケーブル１７２）の柔軟性に支障が生じないのであれば、これらの余剰ピンを有効に活用すべく、同軸ケーブルＬ１０の本数を増やしても構わない。
【０１０８】
また、余剰ピンを接地ピンａ１２として活用すべく、上記した外部導体Ｌ１３とのボンディング領域と連結させておけば、同軸ケーブルの本数を増やすことなく、接地ラインに付随する寄生素子（寄生インピーダンスや寄生インダクタンスなど）を低減することが可能となる。
【０１０９】
＜ＩＤ管理＞
図１２は、ヘッドセット１３０のＩＤ管理について説明するためのブロック図である。画像共有表示システム１００Ａは、先出の図１と同様の構成であり、画像配信装置１１０Ａからコントローラ１２０Ａ１〜Ａ４に対して画像配信を行い、コントローラ１２０Ａ１〜Ａ４に各々接続されたヘッドセット１３０Ａ１〜Ａ４で画像の共有表示を行う。
【０１１０】
また、画像共有表示システム１００Ｂについても、上記と全く同様であり、画像配信装置１１０Ｂからコントローラ１２０Ｂ１〜Ｂ４に対して画像配信が行われ、コントローラ１２０Ｂ１〜Ｂ４に各々接続されたヘッドセット１３０Ｂ１〜Ｂ４で画像の共有表示が行われる。
【０１１１】
ここで、ヘッドセット１３０Ａ１〜Ａ４及び１３０Ｂ１〜Ｂ４は、いずれも使用者を特定して使用されるものであり、コントローラ１２０Ａ１〜Ａ４及び１２０Ｂ１〜Ｂ４のいずれにも任意に着脱することができる。例えば、ヘッドセット１３０Ａ１の接続先は、コントローラ１２０Ａ１に限定されるものではなく、コントローラ１２０Ａ２〜Ａ４及び１２０Ｂ１〜Ｂ４のいずれに接続してもよい。
【０１１２】
また、ヘッドセット１３０Ａ１〜Ａ４及び１３０Ｂ１〜Ｂ４は、いずれも各々に固有のＩＤを保持している。従って、コントローラ１３０Ａ１〜Ａ４及び１３０Ｂ１〜Ｂ４は、自身に接続されているヘッドセットからＩＤを読み出すことにより、いずれのヘッドセットが接続されているかを認識することができる。なお、上記のＩＤは、不揮発性メモリａ３０（図８を参照）に格納すればよい。
【０１１３】
さらに、コントローラ１２０Ａ１〜Ａ４及び１２０Ｂ１〜Ｂ４は、それぞれ、自身に接続されているヘッドセットのＩＤとカスタマイズ情報を記憶する記憶部を含む。なお、上記のカスタマイズ情報とは、ヘッドセットの使用者が以前に設定したヘッドセットの輝度調整値やディスプレイ状態（上下左右反転状態）を示す設定情報である。コントローラ１２０Ａ１〜Ａ４及び１２０Ｂ１〜Ｂ４は、それぞれ、上記のカスタマイズ情報に基づいて自身に接続されているヘッドセットを制御する。
【０１１４】
一方、画像配信装置１１０Ａ及び１１０Ｂは、それぞれ、ネットワーク４００（ＬＡＮ［local area network］やＷＡＮ［wide area network］など）を介してサーバ５００と通信を行う通信部を含む。ＷＡＮによる構成は、後述のように画像配信装置１１０Ａ及び１１０Ｂが異なる病院に分かれて存在する場合に該当しており、画像配信装置１１０Ａの配置されている病院に勤務する医師が、画像配信装置１１０Ｂが配置されている遠隔地の病院に出張して手術を行う場合等に適している。この場合、ＩＤによって特定される自分用のヘッドセットのみを持参して遠隔地の病院に出張することができる。
【０１１５】
画像配信装置１１０Ａ及び１１０Ｂは、コントローラ１２０Ａ１〜Ａ４及び１２０Ｂ１〜Ｂ４からヘッドセット１３０Ａ１〜Ａ４及び１３０Ｂ１〜Ｂ４のＩＤとカスタマイズ情報を取得してサーバ５００に送信する。サーバ５００は、画像配信装置１１０Ａ及び１１０Ｂから受け取ったヘッドセット１３０Ａ１〜Ａ４及び１３０Ｂ１〜Ｂ４の各ＩＤとカスタマイズ情報とを相互に関連付けたデータベースを格納する。
【０１１６】
また、画像配信装置１１０Ａ及び１１０Ｂは、コントローラ１２０Ａ１〜Ａ４及び１２０Ｂ１〜Ｂ４に各々接続されているヘッドセットのＩＤを読み出し、当該ＩＤに対応したカスタマイズ情報をサーバ５００から受信してコントローラ１２０Ａ１〜Ａ４及び１２０Ｂ１〜Ｂ４に適宜伝達する。
【０１１７】
例えば、ある画像共有者が自身のヘッドセット１３０Ａ１をコントローラ１２０Ａ１に接続し、ヘッドセット１３０Ａ１の輝度調整やディスプレイ制御を行った場合を考える。この場合、コントローラ１２０Ａ１は、ヘッドセット１３０Ａ１のＩＤとカスタマイズ情報を記憶すると共に、当該カスタマイズ情報に基づいてヘッドセット１３０Ａ１の制御を行う。また、このとき、画像配信装置１１０Ａは、コントローラ１２０Ａ１からヘッドセット１３０Ａ１のＩＤとカスタマイズ情報を読み出して、ネットワーク４００経由でサーバ５００に送出する。サーバ５００は、画像配信装置１１０Ａから受け取ったヘッドセット１３０Ａ１のＩＤとカスタマイズ情報とを相互に関連付けたデータベースを格納する。
【０１１８】
次に、同じ画像共有者がヘッドセット１３０Ａ１をコントローラ１２０Ｂ１に接続した場合を考える。この場合、画像配信装置１１０Ｂは、コントローラ１２０Ｂ１からこれに接続されているヘッドセット１２０Ａ１のＩＤを読み出し、当該ＩＤに対応したカスタマイズ情報をサーバ５００から受信してコントローラ１２０Ｂ１に伝達する。コントローラ１２０Ｂ１は、画像配信装置１１０Ｂから受信したカスタマイズ情報を記憶すると共に、当該カスタマイズ情報に基づいてヘッドセット１３０Ａ１の制御を行う。
【０１１９】
このように、ヘッドセット１３０Ａ１のＩＤ管理を行うことにより、画像共有者は、ヘッドセット１３０Ａ１をコントローラ１２０Ａ１〜Ａ４及び１２０Ｂ１〜Ｂ４のいずれに接続した場合であっても、常に同一のカスタマイズ状態で画像を共有することができる。また、ヘッドセット１３０Ａ２〜Ａ４及び１３０Ｂ１〜Ｂ４についても、各々のＩＤ管理を行うことにより、上記と同様のメリットを享受することが可能となる。
【０１２０】
例えば、画像共有表示システム１００Ａ及び１００Ｂが第１手術室と第２手術室に各々導入されている場合を考える。なお、第１手術室と第２手術室は、同一の病院内に存在するものであってよいし、異なる病院に分かれて存在するものであってもよい。この場合、画像配信装置１１０Ａ及び１１０Ｂ、並びに、コントローラ１２０Ａ１〜Ａ４及び１２０Ｂ１〜Ｂ４は、各手術室の備品であることが多く、コントローラ１２０Ａ１〜Ａ４及び１２０Ｂ１〜Ｂ４を別の手術室に持ち出すことは、備品管理上も衛生上も好ましくない。
【０１２１】
このような状況において、上記のＩＤ管理を行うことにより、各自に専用のヘッドセット１３０Ａ１〜Ａ４及び１３０Ｂ１〜Ｂ４を装着した医療従事者らは、コントローラ１２０Ａ１〜Ａ４及び１２０Ｂ１〜Ｂ４との組み合わせを何ら気にすることなく、各自担当の手術室に赴き、常に同一のカスタマイズ状態で術野の画像を共有することが可能となる。
【０１２２】
＜その他の変形例＞
なお、本明細書中に開示されている種々の技術的特徴は、上記実施形態のほか、その技術的創作の主旨を逸脱しない範囲で種々の変更を加えることが可能である。例えば、本明細書中に開示されている画像共有表示システムは、内視鏡手術などの医療用途に限らず、多人数による映画鑑賞など、様々な用途に適用することが可能である。
【０１２３】
すなわち、上記実施形態は、全ての点で例示であって制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【産業上の利用可能性】
【０１２４】
本発明は、例えば、内視鏡手術で用いられる医療用の画像共有表示システムとして利用することが可能である。
【符号の説明】
【０１２５】
１００、１００Ａ、１００Ｂ    画像共有表示システム
１１０、１１０Ａ、１１０Ｂ    画像配信装置
１１１    分配部
１１２    電源部
１１３    記憶部
１２０、１２０Ａ１〜１２０Ａ４、１２０Ｂ１〜１２０Ｂ４    コントローラ
１２１    Ｌｃｈシリアル／パラレル変換部
１２２    Ｒｃｈシリアル／パラレル変換部
１２３    マイコン
１２４    レギュレータ
１２５    Ｌｃｈ伝達部
１２６    Ｒｃｈ伝達部
１３０、１３０Ａ１〜１３０Ａ４、１３０Ｂ１〜１３０Ｂ４    ヘッドセット
１３１    眼鏡
１３１ａ    フレーム
１３１ｂ    レンズ
１３１ｃ    ツル
１３２Ｌ    左眼用マイクロディスプレイ
１３２Ｒ    右眼用マイクロディスプレイ
１３２ａ    マイクロディスプレイモジュール
１３２ｂ    光学系（レンズ群）
１４０    シリアル信号ケーブル
１４１    Ｌｃｈシリアル信号ケーブル
１４２    Ｒｃｈシリアル信号ケーブル
１５０    電源ケーブル
１６０    シリアル信号ケーブル
１６１    Ｌｃｈシリアル信号ケーブル
１６２    Ｒｃｈシリアル信号ケーブル
１７０    パラレル信号ケーブル
１７１    Ｌｃｈパラレル信号ケーブル
１７２    Ｒｃｈパラレル信号ケーブル
２００    画像源（内視鏡手術装置）
３００    交流電源
４００    ネットワーク
５００    サーバ
ａ１０    ＦＰＣコネクタ
ａ１１    通常ピン
ａ１２    接地ピン
ａ２０    有機ＥＬマイクロディスプレイＬＳＩ
ａ２１    陽極
ａ２２    正孔輸送層
ａ２３    発光層
ａ２４    電子輸送層
ａ２５    陰極
ａ２６    シール層
ａ２７    カラーフィルタ層
ａ２８    透明保護層
ａ３０    不揮発性メモリ
Ｘ    ＬＳＩ領域
Ｘ１    ＭＯＳトランジスタ層
Ｘ２    配線層
Ｙ    有機ＥＬ領域
Ｚ    フィルタ／保護領域
Ｌ１０    同軸ケーブル
Ｌ１１    内部導体
Ｌ１２    誘電体
Ｌ１３    外部導体
Ｌ１４    保護被覆
Ａ１〜Ａ４    医療従事者（医師、看護師など）
Ｂ１    患者
【図１】
2016086341.tif 000003
【図２】
2016086341.tif 000004
【図３】
2016086341.tif 000005
【図４】
2016086341.tif 000006
【図５】
2016086341.tif 000007
【図６】
2016086341.tif 000008
【図７】
2016086341.tif 000009
【図８】
2016086341.tif 000010
【図１０】
2016086341.tif 000011
【図１１】
2016086341.tif 000012
【図１２】
2016086341.tif 000013
【図９】
2016086341.tif 000014